【手続補正書】
【提出日】令和3年8月11日(2021.8.11)
【手続補正１】
【補正対象書類名】特許請求の範囲
【補正対象項目名】全文
【補正方法】変更
【補正の内容】
【特許請求の範囲】
【請求項１】
スケジューリングされたエンティティにおけるワイヤレス通信の方法であって、
デバイス間の通信のために使用されるビームのビーム障害を検出することと、
前記スケジューリングされたエンティティのネットワーク構成に少なくとも部分的に基づいて、ビーム障害回復要求を送信するために利用すべき１つまたは複数のビーム障害回復リソースを決定することと、
前記ネットワーク構成にしたがって決定された前記１つまたは複数のビーム障害回復リソースを介して前記ビーム障害回復要求を送信することと、
ここにおいて、前記ネットワーク構成は、前記ビーム障害回復要求を送信するために利用すべき前記１つまたは複数のビーム障害回復リソースの前記決定に関連付けられた優先度を指定する、および、
ここにおいて、前記ネットワーク構成は、
前記ビーム障害回復要求を送信するために特定のチャネルを選択するための試行のしきい値数、
前記ビーム障害回復要求を送信するために前記特定のチャネルを選択するための時間のしきい値量、または、
前記ビーム障害回復要求の再送信間の時間のしきい値量
のうちの少なくとも１つを指定する、
を備える、方法。
【請求項２】
スケジューリングエンティティから無線リソース制御（ＲＲＣ）シグナリングを介して前記ネットワーク構成を受信することをさらに備える、請求項１に記載の方法。
【請求項３】
スケジューリングされたエンティティにおけるワイヤレス通信のための装置であって、  デバイス間の通信のために使用されるビームのビーム障害を検出するように構成された検出回路と、
前記スケジューリングされたエンティティのネットワーク構成に少なくとも部分的に基づいて、ビーム障害回復要求を送信するために利用すべき１つまたは複数のビーム障害回復リソースを決定するように構成された決定回路と、
前記ネットワーク構成にしたがって決定された前記ビーム障害回復リソースを介して前記ビーム障害回復要求を送信するように構成された送信回路と、
ここにおいて、前記決定回路は、前記ビーム障害回復要求を送信するために利用すべき前記１つまたは複数のビーム障害回復リソースを決定することに関連付けられた優先度を決定するように構成された優先度回路をさらに備え、および前記優先度回路は、前記ネットワーク構成中に示された優先度に基づいて前記優先度を決定するように構成される、および、
ここにおいて、前記優先度回路は、
前記ビーム障害回復要求を送信するために特定のチャネルを選択するための試行のしきい値数、ここにおいて、前記試行のしきい値数は、前記ネットワーク構成中に示される、  前記ビーム障害回復要求を送信するために前記特定のチャネルを選択するための時間のしきい値量、ここにおいて、前記時間のしきい値量は、前記ネットワーク構成中に示される、または、
前記ビーム障害回復要求の再送信間の時間のしきい値量、ここにおいて、前記時間のしきい値量は、前記ネットワーク構成中に示される、
のうちの少なくとも１つを指定するように構成される、
を備える、装置。
【請求項４】
スケジューリングエンティティから無線リソース制御（ＲＲＣ）シグナリングを介して前記ネットワーク構成を受信するようにさらに構成される、請求項３に記載の装置。
【請求項５】
前記決定回路は、前記ネットワーク構成中に示された少なくとも１つのパラメータを決定するように構成されたパラメータ回路をさらに備え、前記少なくとも１つのパラメータは、システムフレーム番号（ＳＦＮ）、サブフレームインジケータ（ＳＦＩ）、周期性、リソース要素、ダウンリンクビームと前記１つまたは複数のビーム障害回復リソースとの間の疑似コロケーション（ＱＣＬ）または時間関係、あるいは別のセルへの順方向ハンドオーバまたは条件付きハンドオーバのうちの１つを実行することに関連付けられたリンク品質条件、のうちの少なくとも１つである、請求項３に記載の装置。
【請求項６】
前記決定回路は、前記ネットワーク構成中に示された少なくとも１つのパラメータを決定するように構成されたパラメータ回路をさらに備え、
前記少なくとも１つのパラメータは、ビーム障害回復を容易にするための候補ビームしきい値パラメータであり、前記候補ビームしきい値パラメータは、候補ビームに関連付けられた受信電力しきい値に対応する、または、
前記少なくとも１つのパラメータは、ビーム障害回復を容易にするための時間ウィンドウパラメータであり、前記時間ウィンドウパラメータは、前記ビーム障害回復要求への応答をモニタするための時間ウィンドウに対応する、請求項３に記載の装置。
【請求項７】
前記優先度回路は、
リソースタイプの第１の可用性にしたがって、専用リソース、競合なしのリソース、または共通リソースのうちの１つを優先すること、または
異なる優先度に属する１つまたは複数のビームがネットワーク構成されたしきい値を上回る品質を有すると見なされる場合に、前記優先度に対する例外をインプリメントすること
のうちの少なくとも１つにしたがって、前記ビーム障害回復リソースを選択するように構成される、請求項３に記載の装置。
【請求項８】
スケジューリングエンティティにおけるワイヤレス通信の方法であって、
ビーム障害を検出することに関連付けられたビーム障害条件を決定することと、
スケジューリングされたエンティティについてのネットワーク構成を確認することと、ここにおいて、前記ネットワーク構成は、前記ビーム障害条件に関連付けられたパラメータを含み、および前記ネットワーク構成は、ビーム障害回復要求を送信するために利用すべき１つまたは複数のビーム障害回復リソースを決定することに関連付けられたパラメータをさらに含む、
前記スケジューリングされたエンティティに前記ネットワーク構成を送信することと、ここにおいて、前記ネットワーク構成は、前記１つまたは複数のビーム障害回復リソースを介した前記スケジューリングされたエンティティによる前記ビーム障害回復要求の送信を容易にする、
ここにおいて、前記ネットワーク構成は、前記ビーム障害回復要求を送信するために利用すべき前記１つまたは複数のビーム障害回復リソースの決定を容易にするための優先度を指定する、および、
ここにおいて、前記ネットワーク構成は、
前記ビーム障害回復要求を送信するために特定のチャネルを選択するための試行のしきい値数、
前記ビーム障害回復要求を送信するために前記特定のチャネルを選択するための時間のしきい値量、または、
前記ビーム障害回復要求の再送信間の時間のしきい値量
のうちの少なくとも１つを指定する、
を備える、方法。
【請求項９】
前記ネットワーク構成は、システムフレーム番号（ＳＦＮ）、サブフレームインジケータ（ＳＦＩ）、周期性、リソース要素、ダウンリンクビームと前記１つまたは複数のビーム障害回復リソースとの間の疑似コロケーション（ＱＣＬ）または時間関係、あるいは別のセルへの順方向ハンドオーバまたは条件付きハンドオーバのうちの１つを実行することに関連付けられたリンク品質条件、のうちの少なくとも１つを指定する、請求項１または８に記載の方法。
【請求項１０】
前記ネットワーク構成は、前記ビーム障害の検出を容易にするためのタイマパラメータを指定する、または、
前記ネットワーク構成は、ビーム障害回復を容易にするための候補ビームしきい値パラメータを指定し、および前記候補ビームしきい値パラメータは、候補ビームに関連付けられた受信電力しきい値に対応する、請求項１または８に記載の方法。
【請求項１１】
前記ネットワーク構成は、ビーム障害回復を容易にするために、時間ウィンドウパラメータを指定し、および前記時間ウィンドウパラメータは、前記ビーム障害回復要求への応答をモニタするための時間ウィンドウに対応する、請求項１または８に記載の方法。
【請求項１２】
前記優先度は、
リソースタイプの第１の可用性にしたがって、専用リソース、競合なしのリソース、または共通リソースのうちの１つを優先すること、または
異なる優先度に属する１つまたは複数のビームがネットワーク構成されたしきい値を上回る品質を有すると見なされる場合に、例外をインプリメントすること
のうちの少なくとも１つにしたがって、前記１つまたは複数のビーム障害回復リソースを選択することを備える、請求項１または８に記載の方法。
【請求項１３】
前記送信することは、複数のスケジューリングされたエンティティに前記ネットワーク構成を送信することを備える、請求項８に記載の方法。
【請求項１４】
前記確認することは、異なるスケジューリングされたエンティティについての異なるネットワーク構成を確認することを備える、請求項８に記載の方法。
【請求項１５】
スケジューリングエンティティにおけるワイヤレス通信のための装置であって、
ビーム障害を検出することに関連付けられたビーム障害条件を決定するように構成されたビーム障害回路と、
スケジューリングされたエンティティについてのネットワーク構成を確認するように構成されたネットワーク構成回路と、ここにおいて、前記ネットワーク構成は、前記ビーム障害条件に関連付けられたパラメータを含み、および前記ネットワーク構成は、ビーム障害回復要求を送信するために利用すべき１つまたは複数のビーム障害回復リソースを決定することに関連付けられたパラメータをさらに含む、
前記スケジューリングされたエンティティに前記ネットワーク構成を送信するように構成された送信回路と、ここにおいて、前記ネットワーク構成は、前記１つまたは複数のビーム障害回復リソースを介した前記スケジューリングされたエンティティによる前記ビーム障害回復要求の送信を容易にする、
ここにおいて、前記ネットワーク構成回路は、前記ネットワーク構成中に含めるべき優先度を決定するように構成された優先度回路をさらに備え、および前記優先度は、前記ビーム障害回復要求を送信するために利用すべき前記１つまたは複数のビーム障害回復リソースの決定を容易にする、および、
ここにおいて、前記優先度回路は、前記ネットワーク構成に、
前記ビーム障害回復要求を送信するために特定のチャネルを選択するための試行のしきい値数、
前記ビーム障害回復要求を送信するために前記特定のチャネルを選択するための時間のしきい値量、または、
前記ビーム障害回復要求の再送信間の時間のしきい値量
のうちの少なくとも１つを指定させるように構成される、
を備える、装置。
【手続補正２】
【補正対象書類名】明細書
【補正対象項目名】０１６５
【補正方法】変更
【補正の内容】
【０１６５】
[0176]開示された方法におけるステップの特定の順序または階層は、例証的なプロセスの例示であることが理解されるべきである。設計の選好に基づいて、方法におけるステップの特定の順序または階層が再配列され得ることが理解される。添付の方法の請求項は、様々なステップの要素をサンプルの順序で提示しており、その中で具体的に記載されていない限り、提示された特定の順序または階層に限定されることを意図されない。
以下に本願の出願当初の特許請求の範囲に記載された発明を付記する。
［Ｃ１］
スケジューリングされたエンティティにおけるワイヤレス通信の方法であって、
デバイス間の通信のために使用されるビームのビーム障害を検出することと、
前記スケジューリングされたエンティティのネットワーク構成に少なくとも部分的に基づいて、ビーム障害回復要求を送信するために利用すべき１つまたは複数のビーム障害回復リソースを決定することと、
前記ネットワーク構成にしたがって決定された前記１つまたは複数のビーム障害回復リソースを介して前記ビーム障害回復要求を送信することと
を備える、方法。
［Ｃ２］
スケジューリングエンティティから無線リソース制御（ＲＲＣ）シグナリングを介して前記ネットワーク構成を受信することをさらに備える、Ｃ１に記載の方法。
［Ｃ３］
前記ネットワーク構成は、システムフレーム番号（ＳＦＮ）、サブフレームインジケータ（ＳＦＩ）、周期性、リソース要素、ダウンリンクビームと前記１つまたは複数のビーム障害回復リソースとの間の疑似コロケーション（ＱＣＬ）または時間関係、あるいは別のセルへの順方向ハンドオーバまたは条件付きハンドオーバのうちの１つを実行することに関連付けられたリンク品質条件、のうちの少なくとも１つを指定する、Ｃ１に記載の方法。
［Ｃ４］
前記ネットワーク構成は、前記ビーム障害の前記検出を容易にするためのタイマパラメータを指定する、Ｃ１に記載の方法。
［Ｃ５］
前記ネットワーク構成は、ビーム障害回復を容易にするための候補ビームしきい値パラメータを指定し、および前記候補ビームしきい値パラメータは、候補ビームに関連付けられた受信電力しきい値に対応する、Ｃ１に記載の方法。
［Ｃ６］
前記ネットワーク構成は、ビーム障害回復を容易にするための時間ウィンドウパラメータを指定し、および前記時間ウィンドウパラメータは、前記ビーム障害回復要求への応答をモニタするための時間ウィンドウに対応する、Ｃ１に記載の方法。
［Ｃ７］
前記ネットワーク構成は、前記ビーム障害回復要求を送信するために利用すべき前記１つまたは複数のビーム障害回復リソースの前記決定に関連付けられた優先度を指定する、Ｃ１に記載の方法。
［Ｃ８］
前記優先度は、
リソースタイプの第１の可用性にしたがって、専用リソース、競合なしのリソース、または共通リソースのうちの１つを優先すること、または
異なる優先度に属する１つまたは複数のビームがネットワーク構成されたしきい値を上回る品質を有すると見なされる場合に、例外をインプリメントすること
のうちの少なくとも１つにしたがって、前記ビーム障害回復リソースを選択することを備える、Ｃ７に記載の方法。
［Ｃ９］
前記ネットワーク構成は、
前記ビーム障害回復要求を送信するために特定のチャネルを選択するための試行のしきい値数、
前記ビーム障害回復要求を送信するために前記特定のチャネルを選択するための時間のしきい値量、または、
前記ビーム障害回復要求の再送信間の時間のしきい値量
のうちの少なくとも１つを指定する、Ｃ７に記載の方法。
［Ｃ１０］
スケジューリングされたエンティティにおけるワイヤレス通信のための装置であって、  デバイス間の通信のために使用されるビームのビーム障害を検出するように構成された検出回路と、
前記スケジューリングされたエンティティのネットワーク構成に少なくとも部分的に基づいて、ビーム障害回復要求を送信するために利用すべき１つまたは複数のビーム障害回復リソースを決定するように構成された決定回路と、
前記ネットワーク構成にしたがって決定された前記ビーム障害回復リソースを介して前記ビーム障害回復要求を送信するように構成された送信回路と
を備える、装置。
［Ｃ１１］
スケジューリングエンティティから無線リソース制御（ＲＲＣ）シグナリングを介して前記ネットワーク構成を受信するようにさらに構成される、Ｃ１０に記載の装置。
［Ｃ１２］
前記決定回路は、前記ネットワーク構成中に示された少なくとも１つのパラメータを決定するように構成されたパラメータ回路をさらに備え、前記少なくとも１つのパラメータは、システムフレーム番号（ＳＦＮ）、サブフレームインジケータ（ＳＦＩ）、周期性、リソース要素、ダウンリンクビームと前記１つまたは複数のビーム障害回復リソースとの間の疑似コロケーション（ＱＣＬ）または時間関係、あるいは別のセルへの順方向ハンドオーバまたは条件付きハンドオーバのうちの１つを実行することに関連付けられたリンク品質条件、のうちの少なくとも１つである、Ｃ１０に記載の装置。
［Ｃ１３］
前記決定回路は、前記ネットワーク構成中に示された少なくとも１つのパラメータを決定するように構成されたパラメータ回路をさらに備え、前記少なくとも１つのパラメータは、前記ビーム障害の検出を容易にするためのタイマパラメータである、Ｃ１０に記載の装置。
［Ｃ１４］
前記決定回路は、前記ネットワーク構成中に示された少なくとも１つのパラメータを決定するように構成されたパラメータ回路をさらに備え、前記少なくとも１つのパラメータは、ビーム障害回復を容易にするための候補ビームしきい値パラメータであり、前記候補ビームしきい値パラメータは、候補ビームに関連付けられた受信電力しきい値に対応する、Ｃ１０に記載の装置。
［Ｃ１５］
前記決定回路は、前記ネットワーク構成中に示された少なくとも１つのパラメータを決定するように構成されたパラメータ回路をさらに備え、前記少なくとも１つのパラメータは、ビーム障害回復を容易にするための時間ウィンドウパラメータであり、前記時間ウィンドウパラメータは、前記ビーム障害回復要求への応答をモニタするための時間ウィンドウに対応する、Ｃ１０に記載の装置。
［Ｃ１６］
前記決定回路は、前記ビーム障害回復要求を送信するために利用すべき前記１つまたは複数のビーム障害回復リソースを決定することに関連付けられた優先度を決定するように構成された優先度回路をさらに備え、および前記優先度回路は、前記ネットワーク構成中に示された優先度に基づいて前記優先度を決定するように構成される、Ｃ１０に記載の装置。
［Ｃ１７］
前記優先度回路は、
リソースタイプの第１の可用性にしたがって、専用リソース、競合なしのリソース、または共通リソースのうちの１つを優先すること、または
異なる優先度に属する１つまたは複数のビームがネットワーク構成されたしきい値を上回る品質を有すると見なされる場合に、前記優先度に対する例外をインプリメントすること
のうちの少なくとも１つにしたがって、前記ビーム障害回復リソースを選択するように構成される、Ｃ１６に記載の装置。
［Ｃ１８］
前記優先度回路は、
前記ビーム障害回復要求を送信するために特定のチャネルを選択するための試行のしきい値数、ここにおいて、前記試行のしきい値数は、前記ネットワーク構成中に示される、  前記ビーム障害回復要求を送信するために前記特定のチャネルを選択するための時間のしきい値量、ここにおいて、前記時間のしきい値量は、前記ネットワーク構成中に示される、または、
前記ビーム障害回復要求の再送信間の時間のしきい値量、ここにおいて、前記時間のしきい値量は、前記ネットワーク構成中に示される、
のうちの少なくとも１つを指定するように構成される、Ｃ１６に記載の装置。
［Ｃ１９］
スケジューリングエンティティにおけるワイヤレス通信の方法であって、
ビーム障害を検出することに関連付けられたビーム障害条件を決定することと、
スケジューリングされたエンティティについてのネットワーク構成を確認することと、ここにおいて、前記ネットワーク構成は、前記ビーム障害条件に関連付けられたパラメータを含み、および前記ネットワーク構成は、ビーム障害回復要求を送信するために利用すべき１つまたは複数のビーム障害回復リソースを決定することに関連付けられたパラメータをさらに含む、
前記スケジューリングされたエンティティに前記ネットワーク構成を送信することと、ここにおいて、前記ネットワーク構成は、前記１つまたは複数のビーム障害回復リソースを介した前記スケジューリングされたエンティティによる前記ビーム障害回復要求の送信を容易にする、
を備える、方法。
［Ｃ２０］
前記送信することは、前記スケジューリングされたエンティティに無線リソース制御（ＲＲＣ）シグナリングを介して前記ネットワーク構成を送信することを備える、Ｃ１９に記載の方法。
［Ｃ２１］
前記ネットワーク構成は、システムフレーム番号（ＳＦＮ）、サブフレームインジケータ（ＳＦＩ）、周期性、リソース要素、ダウンリンクビームと前記１つまたは複数のビーム障害回復リソースとの間の疑似コロケーション（ＱＣＬ）または時間関係、あるいは別のセルへの順方向ハンドオーバまたは条件付きハンドオーバのうちの１つを実行することに関連付けられたリンク品質条件、のうちの少なくとも１つを指定する、Ｃ１９に記載の方法。
［Ｃ２２］
前記ネットワーク構成は、前記ビーム障害の検出を容易にするためのタイマパラメータを指定する、Ｃ１９に記載の方法。
［Ｃ２３］
前記ネットワーク構成は、ビーム障害回復を容易にするための候補ビームしきい値パラメータを指定し、および前記候補ビームしきい値パラメータは、候補ビームに関連付けられた受信電力しきい値に対応する、Ｃ１９に記載の方法。
［Ｃ２４］
前記ネットワーク構成は、ビーム障害回復を容易にするために、時間ウィンドウパラメータを指定し、および前記時間ウィンドウパラメータは、前記ビーム障害回復要求への応答をモニタするための時間ウィンドウに対応する、Ｃ１９に記載の方法。
［Ｃ２５］
前記ネットワーク構成は、前記ビーム障害回復要求を送信するために利用すべき前記１つまたは複数のビーム障害回復リソースの決定を容易にするための優先度を指定する、Ｃ１９に記載の方法。
［Ｃ２６］
前記優先度は、
リソースタイプの第１の可用性にしたがって、専用リソース、競合なしのリソース、または共通リソースのうちの１つを優先すること、または
異なる優先度に属する１つまたは複数のビームがネットワーク構成されたしきい値を上回る品質を有すると見なされる場合に、例外をインプリメントすること
のうちの少なくとも１つにしたがって、前記１つまたは複数のビーム障害回復リソースを選択することを備える、Ｃ２５に記載の方法。
［Ｃ２７］
前記ネットワーク構成は、
前記ビーム障害回復要求を送信するために特定のチャネルを選択するための試行のしきい値数、
前記ビーム障害回復要求を送信するために前記特定のチャネルを選択するための時間のしきい値量、または、
前記ビーム障害回復要求の再送信間の時間のしきい値量
のうちの少なくとも１つを指定する、Ｃ２５に記載の方法。
［Ｃ２８］
前記送信することは、複数のスケジューリングされたエンティティに前記ネットワーク構成を送信することを備える、Ｃ１９に記載の方法。
［Ｃ２９］
前記確認することは、異なるスケジューリングされたエンティティについての異なるネットワーク構成を確認することを備える、Ｃ１９に記載の方法。
［Ｃ３０］
スケジューリングエンティティにおけるワイヤレス通信のための装置であって、
ビーム障害を検出することに関連付けられたビーム障害条件を決定するように構成されたビーム障害回路と、
スケジューリングされたエンティティについてのネットワーク構成を確認するように構成されたネットワーク構成回路と、ここにおいて、前記ネットワーク構成は、前記ビーム障害条件に関連付けられたパラメータを含み、および前記ネットワーク構成は、ビーム障害回復要求を送信するために利用すべき１つまたは複数のビーム障害回復リソースを決定することに関連付けられたパラメータをさらに含む、
前記スケジューリングされたエンティティに前記ネットワーク構成を送信するように構成された送信回路と、ここにおいて、前記ネットワーク構成は、前記１つまたは複数のビーム障害回復リソースを介した前記スケジューリングされたエンティティによる前記ビーム障害回復要求の送信を容易にする、
を備える、装置。
［Ｃ３１］
前記送信回路は、前記スケジューリングされたエンティティに無線リソース制御（ＲＲＣ）シグナリングを介して前記ネットワーク構成を送信するように構成される、Ｃ３０に記載の装置。
［Ｃ３２］
前記ネットワーク構成回路は、前記ネットワーク構成中に含めるべき少なくとも１つのパラメータを決定するように構成されたパラメータ回路をさらに備え、および前記少なくとも１つのパラメータは、システムフレーム番号（ＳＦＮ）、サブフレームインジケータ（ＳＦＩ）、周期性、リソース要素、ダウンリンクビームと前記１つまたは複数のビーム障害回復リソースとの間の疑似コロケーション（ＱＣＬ）または時間関係、あるいは別のセルへの順方向ハンドオーバまたは条件付きハンドオーバのうちの１つを実行することに関連付けられたリンク品質条件、のうちの少なくとも１つである、Ｃ３０に記載の装置。
［Ｃ３３］
前記ネットワーク構成回路は、前記ネットワーク構成中に含めるべき少なくとも１つのパラメータを決定するように構成されたパラメータ回路をさらに備え、および前記少なくとも１つのパラメータは、前記ビーム障害の検出を容易にするためのタイマパラメータである、Ｃ３０に記載の装置。
［Ｃ３４］
前記ネットワーク構成回路は、前記ネットワーク構成中に含めるべき少なくとも１つのパラメータを決定するように構成されたパラメータ回路をさらに備え、および前記少なくとも１つのパラメータは、ビーム障害回復を容易にするための候補ビームしきい値パラメータであり、前記候補ビームしきい値パラメータは、候補ビームに関連付けられた受信電力しきい値に対応する、Ｃ３０に記載の装置。
［Ｃ３５］
前記ネットワーク構成回路は、前記ネットワーク構成中に含めるべき少なくとも１つのパラメータを決定するように構成されたパラメータ回路をさらに備え、および前記少なくとも１つのパラメータは、ビーム障害回復を容易にするための時間ウィンドウパラメータであり、前記時間ウィンドウパラメータは、前記ビーム障害回復要求への応答をモニタするための時間ウィンドウに対応する、Ｃ３０に記載の装置。
［Ｃ３６］
前記ネットワーク構成回路は、前記ネットワーク構成中に含めるべき優先度を決定するように構成された優先度回路をさらに備え、および前記優先度は、前記ビーム障害回復要求を送信するために利用すべき前記１つまたは複数のビーム障害回復リソースの決定を容易にする、Ｃ３０に記載の装置。
［Ｃ３７］
前記優先度回路は、前記ネットワーク構成に、
リソースタイプの第１の可用性にしたがって、専用リソース、競合なしのリソース、または共通リソースのうちの１つを優先すること、または
異なる優先度に属する１つまたは複数のビームがネットワーク構成されたしきい値を上回る品質を有すると見なされる場合に、例外をインプリメントすること
のうちの少なくとも１つにしたがって、前記１つまたは複数のビーム障害回復リソースを選択するための優先度スキームを含ませるように構成される、Ｃ３６に記載の装置。
［Ｃ３８］
前記優先度回路は、前記ネットワーク構成に、
前記ビーム障害回復要求を送信するために特定のチャネルを選択するための試行のしきい値数、
前記ビーム障害回復要求を送信するために前記特定のチャネルを選択するための時間のしきい値量、または、
前記ビーム障害回復要求の再送信間の時間のしきい値量
のうちの少なくとも１つを指定させるように構成される、Ｃ３６に記載の装置。
［Ｃ３９］
前記送信回路は、複数のスケジューリングされたエンティティに前記ネットワーク構成を送信するように構成される、Ｃ３０に記載の装置。
［Ｃ４０］
前記ネットワーク構成回路は、異なるスケジューリングされたエンティティについての異なるネットワーク構成を確認するように構成される、Ｃ３０に記載の装置。